(57)【要約】      （修正有）【課題】波の影響を低減して良好に浮きの動きを読むことができ、また、浮きに対して注意を向けることができる釣り用波消具を提供する。【解決手段】少なくとも１方向からの波の影響を低減する波消体１２、釣り人側に固定されている支持棒に前記波消体を結合するジョイント２０を備えたことを特徴とする。波消体の内側は穏やかな水面となるため、浮き８２を開口１４から波消体の内側に移動させると、浮きの動きを良好に視認することができる。【選択図】図１
0003150602.tif 000002
【実用新案登録請求の範囲】
【請求項１】
少なくとも１方向からの波の影響を低減する波消体，
釣り人側に固定されている支持棒に前記波消体を結合するジョイント，
を備えたことを特徴とする釣り用波消具。
【請求項２】
少なくとも１方向からの波の影響を低減する波消体，
釣り人側に固定されている支持棒，
水平からの角度を調整しつつ、前記支持棒と前記波消体とを結合するジョイント，
を備えたことを特徴とする釣り用波消具。
【請求項３】
前記波消体が複数の方向からの波の影響を低減する形状となっており、一部に開口を備えたことを特徴とする請求項１又は２記載の釣り用波消具。
【請求項４】
前記波消体もしくは前記支持棒の少なくとも一方に竿を掛けるための手段を設けたことを特徴とする請求項１〜３のいずれか一項に記載の釣り用波消具。
【請求項５】
前記波消体の表面を、釣り針が引っ掛からない性状としたことを特徴とする請求項１〜４のいずれか一項に記載の釣り用波消具。
【請求項６】
前記波消体を折り畳み自在もしくは組み立て自在としたことを特徴とする請求項１〜５のいずれか一項に記載の釣り用波消具。
【請求項７】
前記波消体が防風体を備えるか、もしくは、風の影響を低減する形状に形成されたことを特徴とする請求項１〜６のいずれか一項に記載の釣り用波消具。
【考案の詳細な説明】
【技術分野】
【０００１】
本考案は、釣り用の波消具に関するものである。
【背景技術】
【０００２】
浮きの動きから魚信（アタリ）を的確につかむためには、水面における波の影響を受けないように工夫すると好都合である。このような観点から工夫された釣具として、下記特許文献１〜３に記載されたものがある。
【０００３】
特許文献１の「風波遮断装置をもつ魚釣用２段ウキ」は、風・波・水流によって道糸が引かれ偽魚信をもたらす２段ウキの偽魚信を遮断し、魚信に鋭敏に反応する最良のウキを得ることを目的としたもので、支柱通過管露出部下端の錘に、風波遮断装置リング部を持つ風波遮断装置直線部を風波遮断装置固定部で位置固定し、この風波遮断装置リング部と水中フロート下端部のウキゴムを接近した位置にすることで、偽魚信を遮断するようにしている。
【０００４】
特許文献２の「釣り用浮き」は、入水抵抗を減少させると共に、風や水面の波、流速抵抗等に対する動きを極小化させて、魚の当たり信号の感知機能を向上させること、釣糸の投出に伴う釣糸のもつれを防止して使用効率を上昇させること、浮きの重さ中心を水深及び浮力設定によって選択的に増減変形できるようにして、弾力的且つ広範囲な使用範囲を持つようにすることを目的としており、被装着部を持つ第１通孔を具備した浮き本体と、上記被装着部に装着可能な装着部と第２通孔と錘心とを持つ沈子とにより構成されている。
【０００５】
特許文献３の「釣用浮子」は、経験や熟練がないとヘラブナの微妙な魚信を会得することが難しいことに着目したもので、全長の約９／１０を占める断面円筒状の中空本体と、残り約１／１０を中空本体の一方端に、本件より径の細い延長突出部を形成するとともに、延長突出部と本体との境目附付に、本体を挿通する桿を挿通させ、この桿の夫々両端部に球形状の中空補助ウキを取付けた構成となっている。
【先行技術文献】
【特許文献】
【０００６】
【特許文献１】特開平１１−２９９４０５号公報
【特許文献２】実用新案登録第３０６９８５９号公報
【特許文献３】実用新案登録第３００４３５５号公報
【考案の概要】
【考案が解決しようとする課題】
【０００７】
しかしながら、上述したいずれの釣具も、波の影響を必ずしも良好に低減できるとは限らず、十分に満足し得る波消効果を得ることができない。
【０００８】
本考案は、以上のような点に着目したもので、波の影響を低減して、良好に魚信を読むことができる釣り用波消具を提供することを、その目的とする。
【課題を解決するための手段】
【０００９】
本考案は、少なくとも１方向からの波の影響を低減する波消体，釣り人側に固定されている支持棒に前記波消体を結合するジョイント，を備えたことを特徴とする。他の考案は、少なくとも１方向からの波の影響を低減する波消体，釣り人側に固定されている支持棒，水平からの角度を調整しつつ、前記支持棒と前記波消体とを結合するジョイント，を備えたことを特徴とする。
【００１０】
主要な形態の一つは、前記波消体が複数の方向からの波の影響を低減する形状となっており、一部に開口を備えたことを特徴とする。他の形態の一つは、前記波消体もしくは前記支持棒の少なくとも一方に竿を掛けるための手段を設けたことを特徴とする。更に他の形態の一つは、前記波消体の表面を、釣り針が引っ掛からない性状としたことを特徴とする。あるいは、前記波消体を折り畳み自在もしくは組み立て自在としたことを特徴とする。更には、前記波消体が防風体を備えるか、もしくは、風の影響を低減する形状に形成されたことを特徴とする。
【考案の効果】
【００１１】
本考案によれば、波の影響を低減して良好に浮きの動きを把握することができ、また、浮きに対して注意を向ける（集中する）ことで魚信を的確に読むができる。更に、防風体を設けたり、防風形状とすることで、風の影響も低減できる。
【図面の簡単な説明】
【００１２】
【図１】図１は本考案の実施例１の構成と使用状態を示す図である。
【図２】図２は本考案の実施例２の主要部を示す図である。
【図３】図３は本考案の実施例３の主要部を示す図である。
【図４】図４は本考案の実施例４の主要部を示す図である。
【考案を実施するための形態】
【００１３】
以下、本考案を実施するための最良の形態を、実施例に基づいて詳細に説明する。
【実施例１】
【００１４】
最初に、図１を参照しながら、本考案の実施例１について説明する。図１(A)には、本実施例の平面が示されており、波消具１０は、リング状の波消体１２の一部に開口１４が設けられた構成となっている。波消体１２の開口１４付近には、外側に突出した基部１６が設けられている。波消体１２の略中央付近には、折り畳むための蝶番１８と、折り畳んだ状態から波消体１２を図示のように開いたときに、その状態で固定するための固定具（図示せず）が設けられている。固定具は、例えばボルトナット手段，スライド式や回転式の各種の固定手段など、適宜のものを用いてよい。
【００１５】
上述した基部１６の端部には、矢印方向に回転可能なジョイント２０が設けられている。ジョイント２０は、基部１６側面の取付板２２Ａ，２２Ｂに回転保持体２４が取り付けられた構造となっており、その中央付近に、ボルト２６が矢印ＦＡ方向に回動自在に保持されている。
【００１６】
波消体１２は、ある程度の質量があり、かつ、水面に浮かぶようになっている。具体的には、樹脂製管などによって中空・水密に形成する，発泡スチロールなどの浮力のある素材によって形成する，中空管の内部に浮力材を充填する，などの構造とする。表面ないし外側は、釣り針が引っ掛かったりしない性状，例えば滑らかな性質ないし状態とすることが好ましい。
【００１７】
図１(B)には、本実施例の波消具１０の使用状態が示されている。同図のように、釣り台ないし釣り座５０にある角木５２に固定されている万力５４から延長された支持棒５６の先端に、上述したジョイント２０が取り付けられている。すなわち、支持棒５６の手元側は、万力５４に固定されており、支持棒５６の先端側にはジョイント２０のボルト２６がネジ止めされている。上述したように、ボルト２６は、矢印ＦＡ方向に回動可能となっているので、釣り台５０と水面との高さが変化し、支持棒５６の水平からの角度が変化しても、波消体１２は、良好に水面上に位置することができる。釣り台５０からの波消体１２の距離は、支持棒５６を継ぎ足したり伸縮自在とすることで調節する。
【００１８】
本例では、前記万力５４にＶ字状竿掛け５８が設けられており、支持棒５６の適宜位置に竿を掛ける腕状竿掛け６０が設けられている。なお、支持棒５６及び腕状竿掛け６０の全体が竿掛けであると考えることもできるし、支持棒５６は玉の柄であり、これに腕状竿掛け６０を取り付けたと考えることもできる。
【００１９】
次に、本実施例の全体の作用を説明する。釣り人は、釣り台５０の角木５２に万力５４を固定するとともに、ジョイント２０によって波消体１２を先端に取り付けた支持棒５６を万力５４に取り付ける。次に、釣り人は、釣り竿８０によって、浮き８２，錘８４，針８６及び８８などの仕掛け９０を水面に投げる。このとき、仕掛けは、矢印ＦＢで示すように、波消体１２の外側に投げるようにする。そして、釣り竿８０の先を矢印ＦＣで示すように波消体１２の開口１４の方向に移動し、浮き８２を波消体１２の内側に移動させる。移動後、釣り竿８０を、Ｖ字状竿掛け５８及び腕状竿掛け６０に掛ける。
【００２０】
図示の例では、この状態で、釣り竿８０の先端側が水面下となっているが、水面上でもよい。また、浮き８２を、波消体１２の内側に直接投入することを妨げるものではないが、波消体１２の外側に投入して内側に移動するほうが簡便である。
【００２１】
以上の状態では、波の影響が波消体１２によって弱められ、内側は穏やかな水面となる。このため、釣り人は、浮き８２の動きを良好に視認することができ、良好に魚信を読むことができる。また、浮き８２が波消体１２の内側に位置するため、浮き１２の方向に注意を向ける（集中する）ことができ、この面からも、魚信を的確に読むことができる。
【００２２】
魚信があったとき、釣り人は、釣り竿８０を、開口１４から波消体１２の外側に速やかに移動し（矢印ＦＣと反対の方向）、浮き８２を波消体１２の外側に出す。更に、釣り竿８０を上げつつ、波消体１２の外側に沿って仕掛けを移動し（矢印ＦＤの方向）、玉網（図示せず）を利用して魚を釣り上げる。
【実施例２】
【００２３】
次に、図２を参照しながら、本考案の実施例２について説明する。同図(A)の波消具１００は、略Ｌ字状の波消体１０２の端部に、図の矢印方向に回動可能なジョイント１１０を設けた構成となっている。波消体１０２の基板１０３の表面に沿って、浮力体１０４が設けられており、これによって基板１０３が沈まないようになっている。ジョイント１１０は、略Ｕ字状の本体１１２が波消体１０２の端部を挟んでおり、本体１１２の中央付近が回転軸１１４によって回転可能に波消体１０２に取り付けられている。本体１１２の一方の端部には、波消体１０２に設けられた扇状の長孔１０６に沿って摺動する突起１１６が設けられており、本体１１２の他方の端部には、上述した支持棒５６の先端にネジ止めされるボルト１１８が設けられている。
【００２４】
図２(B)の波消具２００は、塩化ビニル管を利用した例である。同図に示すように、波消体２０２は、中空・水密の塩化ビニル管２０４，２０６を結合管２０８によって略Ｌ字状となるように結合した構成となっている。塩化ビニル管２０４の端部には、上述したジョイント２０が設けられている。図２(A)の例は、波消体と浮力体を張り合わせた構造であるが、図２(B)の例は、両者を中空管によって一体構造としている。
【００２５】
これらの例によれば、波消体１０２，２０２が略Ｌ字状となっており、その内側に浮き８２が位置する。このため、２方向からの波に対してその影響を低減することができる。また、波消体１０２，２０２の内側に浮き８２が位置するため、内側を見ることで、注意を浮き８２の方向に向けることができる。波が来る方向が変わったときは、波消具１００，２００を反転させればよい。
【実施例３】
【００２６】
次に、図３を参照しながら、本考案の実施例３を説明する。同図(A)の例は、前記図１の実施例の形状を変更したもので、波消具３００の波消体３０２の形状を四角形状としている。他に、多角形，楕円など、各種の形状としてよい。同図(B)の波消具４００は、波消体１２の基部４０２を、波消体１２の複数の箇所（点線で図示）に着脱できるようにしたものである。このようにすることで、釣り人は開口１４の位置を好みの位置に変更することができる。同図(C)の波消具５００は、波消体５０２，５０４を組み立て自在としたものである。波消体５０２，５０４を組み合わせれば図１に示した実施例のようになり、波消体５０４のみを使用すれば、図２に示した実施例に近似するようになる。なお、波消体の分割数は必要に応じて増減してよく、図２や図３(A)の形状の波消体を分割するようにしてもよい。
【実施例４】
【００２７】
次に、図４を参照しながら、本考案の実施例４を説明する。この実施例は、波のみならず、風の影響も低減するようにしたものである。同図(A)の波消具６００は、前記図１の波消体１２の上に、防風体６０２を形成したものである。防風体６０２は、ある程度の高さがあり、これによって外側からの風の影響を防ぐことができる。防風体６０２を、波消体１２に対して着脱自在としてもよい。同図(B)の波消具７００は、波消体７０２を図２(A)のように縦板状に形成し、水面からある程度の高さがある形状に形成したものである。防風体６０２あるいは波消体７０２は、必要があれば、透明に形成することで、内側の浮き８２が見えにくくならないようにする。
【００２８】
なお、本考案は、上述した実施例に限定されるものではなく、本考案の要旨を逸脱しない範囲内において種々変更を加えることができる。例えば、以下のものも含まれる。
（１）釣り竿を掛けるための竿掛けを、波消体や基部に設けるようにしてもよい。
（２）波消体は、どのような着色としてもよいが、浮きが目立つようにするという観点からは、例えば濃緑色などとするとよい。
（３）前記実施例に示したジョイントの構造は一例であり、各種の公知のものを適用してよい。
（４）本考案は、釣堀や湖沼などにおける釣りに好適であるが、川や海における釣りに適用することを妨げるものではない。
【産業上の利用可能性】
【００２９】
本考案によれば、波の影響を低減して良好に浮きの動きを読むことができ、また、浮きに対して注意を向けることができるので、釣り一般に適用できる。特に、魚信が微妙な魚の釣りに好適である。
【符号の説明】
【００３０】
１０：波消具
１２：波消体
１４：開口
１６：基部
１８：蝶番
２０：ジョイント
２２Ａ，２２Ｂ：取付板
２４：回転保持体
２６：ボルト
５０：釣り台
５２：角木
５４：万力
５６：支持棒
５８：Ｖ字状竿掛け
６０：腕状竿掛け
８０：釣り竿
８２：浮き
８４：錘
８６，８８：針
９０：仕掛け
１００：波消具
１０２：波消体
１０３：基板
１０４：浮力体
１０６：長孔
１１０：ジョイント
１１２：本体
１１４：回転軸
１１６：突起
１１８：ボルト
２００：波消具
２０２：波消体
２０４，２０６：塩化ビニル管
２０８：結合管
３００：波消具
３０２：波消体
４００：波消具
４０２：基部
５００：波消具
５０２，５０４：波消体
６００：波消具
６０２：防風体
７００：波消具
７０２：波消体
【図１】
0003150602.tif 000003
【図２】
0003150602.tif 000004
【図３】
0003150602.tif 000005
【図４】
0003150602.tif 000006
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
少なくとも１方向からの波の影響を低減する波消体，
釣り人側に固定されている支持棒に前記波消体を結合するジョイント，
を備えたことを特徴とする釣り用波消具。
【請求項２】
少なくとも１方向からの波の影響を低減する波消体，
釣り人側に固定されている支持棒，
水平からの角度を調整しつつ、前記支持棒と前記波消体とを結合するジョイント，
を備えたことを特徴とする釣り用波消具。
【請求項３】
前記波消体を、リング状，四角形を含む多角形状，もしくは楕円状とするとともに、一部に開口を備えたことを特徴とする請求項１又は２記載の釣り用波消具。
【請求項４】
前記波消体もしくは前記支持棒の少なくとも一方に竿を掛けるための手段を設けたことを特徴とする請求項１〜３のいずれか一項に記載の釣り用波消具。
【請求項５】
前記波消体の表面を、滑らかな性状としたことを特徴とする請求項１〜４のいずれか一項に記載の釣り用波消具。
【請求項６】
前記波消体を折り畳み自在もしくは組み立て自在としたことを特徴とする請求項１〜５のいずれか一項に記載の釣り用波消具。
【請求項７】
前記波消体が、風の影響を防ぐ防風体を備えたことを特徴とする請求項１〜６のいずれか一項に記載の釣り用波消具。